(57)【特許請求の範囲】
【請求項１】
映像入力信号を映像出力信号に変換して、前記映像出力信号を表示装置に出力する信号処理装置であって、
前記表示装置の色再現範囲に応じて、前記映像入力信号の色座標を調整する色座標調整処理を行う色座標調整部と、
前記映像入力信号の明度成分を調整する明度調整処理を行う明度調整部と、
前記色座標調整処理によって調整された色座標と前記明度調整処理によって調整された明度成分とによって、前記映像出力信号を生成する出力信号生成部と、
前記映像入力信号の彩度に応じて、前記色座標調整処理が前記映像出力信号に与える色座標調整寄与度及び前記明度調整処理が前記映像出力信号に与える明度成分寄与度を制御する制御部とを備え、
前記制御部は、特定の色相において前記映像入力信号の彩度が所定閾値よりも高い場合に、前記色座標調整寄与度を上昇させるとともに、前記明度成分寄与度を低下させることを特徴とする信号処理装置。
【請求項２】
前記映像入力信号に応じて、画像の輝度を取得する取得部をさらに備え、
前記制御部は、前記取得部によって取得された輝度が高いほど、前記色座標調整寄与度を上昇させるとともに、前記明度成分寄与度を低下させることを特徴とする請求項１に記載の信号処理装置。
【請求項３】
前記映像入力信号に応じて、画像を構成する画素毎に色相を取得する取得部をさらに備え、
前記制御部は、前記取得部によって取得された色相が前記特定の色相に近いほど、前記色座標調整寄与度を上昇させるとともに、前記明度成分寄与度を低下させることを特徴とする請求項１に記載の信号処理装置。
【請求項４】
前記映像入力信号に応じて、画像を構成する画素毎に彩度を取得する取得部をさらに備え、
前記制御部は、前記取得部によって取得された彩度が高いほど、前記色座標調整寄与度を上昇させるとともに、前記明度成分寄与度を低下させることを特徴とする請求項１に記載の信号処理装置。
【請求項５】
前記制御部は、前記特定の色相を有する画素の値の分布に基づいて、前記色座標調整寄与度及び前記明度成分寄与度を制御することを特徴とする請求項１に記載の信号処理装置。
【請求項６】
前記制御部は、前記特定の色相を有する画素の周波数成分に基づいて、前記色座標調整寄与度及び前記明度成分寄与度を制御することを特徴とする請求項１に記載の信号処理装置。
【請求項７】
前記制御部は、前記色座標調整寄与度及び前記明度成分寄与度を画素毎に制御することを特徴とする請求項１に記載の信号処理装置。
【請求項８】
請求項１に記載された信号処理装置と、前記信号処理装置から出力された映像出力信号に応じて画像を表示する表示装置と、前記表示装置によって表示された画像を投写する投写手段とを備えることを特徴とする投写型映像表示装置。
【発明の詳細な説明】
【技術分野】
【０００１】
本発明は、映像入力信号を映像出力信号に変換する信号処理装置及び投写型映像表示装置に関する。
【背景技術】
【０００２】
従来、カメラなどの撮像装置によって撮像された画像を表示する表示装置が知られている。表示装置に光を照射する光源として、色再現範囲が広い固体光源（例えば、ＬＤ；Ｌａｓｅｒ  ＤｉｏｄｅやＬＥＤ；Ｌｉｇｈｔ  Ｅｍｉｔｔｉｎｇ  Ｄｉｏｄｅ）が開発されている。このような表示装置の色再現範囲が撮像装置の色再現範囲と異なるケースが想定される。
【０００３】
一方で、入力機器（例えば、撮像装置）の色再現範囲が出力機器（例えば、表示装置）の色再現範囲よりも広い場合に、入力機器の色再現範囲を縮小する技術が提案されている（例えば、特許文献１）。具体的には、色再現範囲を縮小する方向を色相毎に変更することによって、視覚的に自然に見える画像の出力を図っている。
【特許文献１】特開２０００−３２４３５０号公報
【発明の開示】
【発明が解決しようとする課題】
【０００４】
ここで、出力機器（例えば、表示装置）の色再現範囲が入力機器（例えば、撮像装置）の色再現範囲よりも広いケースについて考える。このようなケースでは、入力機器から入力される映像入力信号に従って出力機器が画像を表示すると、画像の色座標が実物の色座標よりも広がってしまう。なお、色座標は、彩度及び色相によって規定された座標である。
【０００５】
一方で、画像の色座標を実物の色座標に近づけるために、上述した技術を応用することも考えられる。しかしながら、出力機器の色再現範囲を単に縮小すると、出力機器（表示装置）の色再現範囲が有効に利用されない。
【０００６】
そこで、本発明は、上述した課題を解決するためになされたものであり、画像の色座標と実物の色座標との違いを或る程度抑制しながら、表示装置の色再現範囲を有効に利用することを可能とする信号処理装置及び投写型映像表示装置を提供することを目的とする。
【課題を解決するための手段】
【０００７】
第１の特徴に係る信号処理装置は、映像入力信号を映像出力信号に変換して、前記映像出力信号を表示装置に出力する。信号処理装置は、前記表示装置の色再現範囲に応じて、前記映像入力信号の色座標を調整する色座標調整処理を行う色座標調整部（色座標調整部２１０）と、前記映像入力信号の明度成分を調整する明度調整処理を行う明度調整部（明度調整部２２０）と、前記色座標調整処理によって調整された色座標と前記明度調整処理によって調整された明度成分とによって、前記映像出力信号を生成する出力信号生成部（表示素子制御部２４０）と、前記映像入力信号の彩度に応じて、前記色座標調整処理が前記映像出力信号に与える色座標調整寄与度及び前記明度調整処理が前記映像出力信号に与える明度成分寄与度を制御する制御部（比率制御部２３０）とを備える。前記制御部は、特定の色相において前記映像入力信号の彩度が所定閾値よりも高い場合に、前記色座標調整寄与度を上昇させるとともに、前記明度成分寄与度を低下させる。
【０００８】
かかる特徴によれば、制御部は、特定の色相において映像入力信号の彩度が所定閾値よりも高いケース、すなわち、画像の色座標と実物の色座標との違いが大きいケースにおいて、色座標調整寄与度を上昇させるとともに、明度成分寄与度を低下させる。
【０００９】
従って、画像の色座標と実物の色座標との違いが大きいケースでは、画像の色座標と実物の色座標との違いを抑制することができる。
【００１０】
反対に、制御部は、特定の色相において映像入力信号の彩度が所定閾値よりも低いケース、すなわち、画像の色座標と実物の色座標との違いが小さいケースにおいて、色座標調整寄与度を低下させるとともに、明度成分寄与度を上昇させる。
【００１１】
従って、画像の色座標と実物の色座標との違いが小さいケースでは、表示装置の色再現範囲を有効に利用することができる。
【００１２】
第１の特徴に係る信号処理装置は、前記映像入力信号に応じて、画像の輝度を取得する取得部（取得部２５０）をさらに備える。前記制御部は、前記取得部によって取得された輝度が高いほど、前記色座標調整寄与度を上昇させるとともに、前記明度成分寄与度を低下させる。
【００１３】
第１の特徴に係る信号処理装置は、前記映像入力信号に応じて、画像を構成する画素毎に色相を取得する取得部（取得部２５０）をさらに備える。前記制御部は、前記取得部によって取得された色相が前記特定の色相に近いほど、前記色座標調整寄与度を低下させるとともに、前記明度成分寄与度を上昇させる。
【００１４】
第１の特徴に係る信号処理装置は、前記映像入力信号に応じて、画像を構成する画素毎に彩度を取得する取得部（取得部２５０）をさらに備える。前記制御部は、前記取得部によって取得された彩度が高いほど、前記色座標調整寄与度を上昇させるとともに、前記明度成分寄与度を低下させる。
【００１５】
第１の特徴において、前記制御部は、前記特定の色相を有する画素の値の分布に基づいて、前記色座標調整寄与度及び前記明度成分寄与度を制御する。
【００１６】
第１の特徴において、前記制御部は、前記特定の色相を有する画素の周波数成分に基づいて、前記色座標調整寄与度及び前記明度成分寄与度を制御する。
【００１７】
第１の特徴において、前記制御部は、前記色座標調整寄与度及び前記明度成分寄与度を画素毎に制御する。
【００１８】
第２の特徴に係る投写型映像表示装置は、第１の特徴に係る信号処理装置と、前記信号処理装置から出力された映像出力信号に応じて画像を表示する表示装置と、前記表示装置によって表示された画像を投写する投写手段とを備える。
【発明の効果】
【００１９】
本発明によれば、画像の色座標と実物の色座標との違いを或る程度抑制しながら、表示装置の色再現範囲を有効に利用することを可能とする信号処理装置及び投写型映像表示装置を提供することができる。
【発明を実施するための最良の形態】
【００２０】
以下において、本発明の実施形態に係る投写型映像表示装置について、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係る信号処理装置は、映像入力信号を映像出力信号に変換して、映像出力信号を表示装置に出力する。信号処理装置は、表示装置の色再現範囲に応じて、映像入力信号の色座標を調整する色座標調整処理を行う色座標調整部と、映像入力信号の明度成分を調整する明度調整処理を行う明度調整部と、色座標調整処理によって調整された色座標と明度調整処理によって調整された明度成分とによって、映像出力信号を生成する出力信号生成部と、映像入力信号の彩度に応じて、色座標調整処理が映像出力信号に与える色座標調整寄与度及び明度調整処理が映像出力信号に与える明度成分寄与度を制御する制御部とを備える。制御部は、特定の色相において映像入力信号の彩度が所定閾値よりも高い場合に、色座標調整寄与度を上昇させるとともに、明度成分寄与度を低下させる。
【００２３】
なお、実施形態に係る“明度”は、明るさを示す用語である。従って、“明度”は、輝度を含む広い概念を示す用語として理解すべきである。
【００２４】
また、明度調整処理は、映像入力信号の“明度成分”を調整する処理である。“明度”と同様に、“明度成分”は、明るさの成分を示す用語である。従って、“明度成分”は、輝度成分を含む広い概念を示す用語として理解すべきである。さらには、“明度成分”は、映像入力信号（赤入力信号Ｒｉｎ、緑入力信号Ｇｉｎ及び青入力信号Ｂｉｎ）の最大値であってもよい。
【００２５】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２６】
図１に示すように、投写型映像表示装置は、複数の光源ユニット１０と、複数のフライアイレンズユニット２０と、複数の液晶パネル３０と、クロスダイクロイックプリズム４０と、投写レンズユニット５０とを有する。
【００２７】
複数の光源ユニット１０は、光源ユニット１０Ｒ、光源ユニット１０Ｇ及び光源ユニット１０Ｂである。各光源ユニット１０は、複数の固体光源によって構成されたユニットである。固体光源は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）である。なお、光源ユニット１０Ｒは、赤成分光を発する複数の固体光源（１０−１Ｒ〜１０−６Ｒ）によって構成される。光源ユニット１０Ｇは、緑成分光を発する複数の固体光源（１０−１Ｇ〜１０−６Ｇ）によって構成される。光源ユニット１０Ｂは、青成分光を発する複数の固体光源（１０−１Ｂ〜１０−６Ｂ）によって構成される。
【００２８】
複数のフライアイレンズユニット２０は、フライアイレンズユニット２０Ｒ、フライアイレンズユニット２０Ｇ及びフライアイレンズユニット２０Ｂである。各フライアイレンズユニット２０は、フライアイレンズ２１及びフライアイレンズ２２によって構成される。フライアイレンズ２１及びフライアイレンズ２２は、それぞれ、複数の微少レンズによって構成される。各微少レンズは、各光源ユニット１０が発する光が各液晶パネル３０の全面に照射されるように、各光源ユニット１０が発する光を集光する。
【００２９】
複数の液晶パネル３０は、液晶パネル３０Ｒ、液晶パネル３０Ｇ及び液晶パネル３０Ｂである。液晶パネル３０Ｒは、赤成分光の偏向方向を回転させることによって赤成分光を変調する。液晶パネル３０Ｒの光入射面側には、一の偏向方向（例えば、Ｐ偏向）を有する光を透過して、他の偏向方向（例えば、Ｓ偏向）を有する光を遮光する入射側偏向板３１Ｒが設けられている。液晶パネル３０Ｒの光出射面側には、一の偏向方向（例えば、Ｐ偏向）を有する光を遮光して、他の偏向方向（例えば、Ｓ偏向）を有する光を透過する出射側偏向板３２Ｒが設けられている。
【００３０】
同様に、液晶パネル３０Ｇ及び液晶パネル３０Ｂは、それぞれ、緑成分光及び青成分光の偏向方向を回転させることによって緑成分光及び青成分光を変調する。液晶パネル３０Ｇの光入射面側には、入射側偏向板３１Ｇが設けられており、液晶パネル３０Ｇの光出射面側には、出射側偏向板３２Ｇが設けられている。液晶パネル３０Ｂの光入射面側には、入射側偏向板３１Ｂが設けられており、液晶パネル３０Ｂの光出射面側には、出射側偏向板３２Ｂが設けられている。
【００３１】
クロスダイクロイックプリズム４０は、液晶パネル３０Ｒ、液晶パネル３０Ｇ及び液晶パネル３０Ｂから出射された光を合成する。クロスダイクロイックプリズム４０は、投写レンズユニット５０側に合成光を出射する。
【００３２】
投写レンズユニット５０は、クロスダイクロイックプリズム４０から出射された合成光（映像光）をスクリーン上などに投写する。
【００３３】
（色相及び彩度）
以下において、第１実施形態に係る色相及び彩度について、図面を参照しながら説明する。図２は、色相及び彩度を示す一般的な色再現範囲を示す色度図である。図２では、ポイントＷは、白を示すポイントである。ポイントＲ、ポイントＧ及びポイントＢは、それぞれ、赤、緑及び青を示すポイントである。
【００３４】
図２に示すように、色相は、ポイントＷと色再現範囲の外周とによって形成される角度によって表される。彩度は、ポイントＷで最も低い値であり、ポイントＷから離れるに従って高い値となる。
【００３５】
ところで、第１実施形態に係る投写型映像表示装置１００には、入力機器（例えば、撮像装置など）から映像入力信号が入力される。
【００３６】
液晶パネル３０の色再現範囲は、各光源ユニット１０から出射される光に依存する。すなわち、各光源ユニット１０から出射される光の色純度が高いほど、液晶パネル３０の色再現範囲が広い。一方で、入力機器の色再現範囲は、入力機器に設けられた撮像素子などの精度に依存する。
【００３７】
第１実施形態では、図３に示すように、液晶パネル３０の色再現範囲（Ｒ１、Ｇ１、Ｂ１）が入力機器の色再現範囲（Ｒ２、Ｇ２、Ｂ２）よりも広いケースについて考える。
【００３８】
（投写型映像表示装置の機能）
以下において、第１実施形態に係る投写型映像表示装置の機能について、図面を参照しながら説明する。図４は、第１実施形態に係る投写型映像表示装置１００（信号処理装置２００）の機能を示すブロック図である。
【００３９】
信号処理装置２００は、赤入力信号Ｒｉｎ、緑入力信号Ｇｉｎ及び青入力信号Ｂｉｎを含む映像入力信号を取得する。信号処理装置２００は、赤出力信号Ｒｏｕｔ、緑出力信号Ｇｏｕｔ及び青出力信号Ｂｏｕｔを含む映像出力信号を出力する。なお、赤入力信号Ｒｉｎ、緑入力信号Ｇｉｎ及び青入力信号Ｂｉｎは、それぞれ、最低画素値（例えば、“０”）〜最高画素値（例えば、“２５５”）の範囲の値である。同様に、赤出力信号Ｒｏｕｔ、緑出力信号Ｇｏｕｔ及び青出力信号Ｂｏｕｔは、それぞれ、最低画素値（例えば、“０”）〜最高画素値（例えば、“２５５”）の範囲の値である。
【００４０】
図４に示すように、信号処理装置２００は、色座標調整部２１０と、明度調整部２２０と、比率制御部２３０と、表示素子制御部２４０とを有する。
【００４１】
色座標調整部２１０は、液晶パネル３０の色再現範囲と入力機器の色再現範囲との差異に応じて、映像入力信号の色座標を調整する色座標調整処理を行う。なお、色座標は、図２に示すような色度図において、単色光軌跡（又は、スペクトル軌跡）と純紫軌跡とによって囲まれた閉曲線内の位置を示し、彩度及び色相によって規定された座標である。ここでは、入力機器の色再現範囲が既知であることを前提とする。従って、色座標調整部２１０は、液晶パネル３０の色再現範囲に応じて色座標調整処理を行う。色座標調整処理は、色再現範囲の差異によって生じる色座標のずれを抑制するために、映像入力信号の色座標を縮小する処理である。具体的には、色座標調整処理は、彩度及び色相を調整することによって、上述した閉曲線内の位置を変更する処理である。
【００４２】
例えば、色座標調整部２１０は、以下の式（１）に従って色座標調整処理を行う。ここで、ＲＳ、ＧＳ及びＢＳは、それぞれ、赤、緑及び青に対応する色座標調整信号である。
【数１】
0005199864.tif 000002
【００４３】
なお、パラメータａ〜ｉは、液晶パネル３０の色再現範囲に応じて定められる定数である。
【００４４】
明度調整部２２０は、映像入力信号の明度成分を調整する明度調整処理を行う。明度調整処理は、彩度（純度）が高い色のぎらつきを抑制するために、映像入力信号の明度成分を減少させる処理である。
【００４５】
例えば、明度調整部２２０は、以下の式（２）に従って明度調整処理を行う。ここで、ＲＬ、ＧＬ及びＢＬは、それぞれ、赤、緑及び青に対応する明度調整信号である。
【数２】
0005199864.tif 000003
【００４６】
なお、パラメータＬｕｍは、映像入力信号の明度成分の減少率を定める定数である。なお、パラメータＬｕｍは、最小値〜１の範囲の値である。最小値は、０〜１の範囲の値である。
【００４７】
比率制御部２３０は、色座標調整寄与度及び明度成分寄与度を制御する。色座標調整寄与度は、色座標調整処理（色座標調整信号）が映像出力信号に与える寄与度である。明度成分寄与度は、明度調整処理（明度調整信号）が映像出力信号に与える寄与度である。
【００４８】
ここで、比率制御部２３０は、映像入力信号の色相及び彩度に応じて、色座標調整寄与度（β）及び明度成分寄与度（α）を制御する。なお、αは、０〜１の範囲の値である。βは、０〜１の範囲の値である。
【００４９】
色座標調整寄与度（β）及び明度成分寄与度（α）は、トレードオフの関係を有する。すなわち、明度成分寄与度（α）が増大した場合に、色座標調整寄与度（β）が減少する。同様に、明度成分寄与度（α）が減少した場合に、色座標調整寄与度（β）が増大「する。色座標調整寄与度（β）及び明度成分寄与度（α）は、例えば、α＋β＝１の関係を満たす。以下においては、α＋β＝１の関係が満たされるものとして説明を続ける。
【００５０】
具体的には、比率制御部２３０は、映像入力信号の色相及び彩度を画素毎に取得する。比率制御部２３０は、特定の色相（ここでは、赤の色相）において彩度が所定閾値を超える画素数を判定カウンタによってカウントする。
【００５１】
比率制御部２３０は、図５に示すように、判定カウンタのカウント値が閾値Ｔｈ１となるまで、明度成分寄与度（α）の値を減少させる。一方で、比率制御部２３０は、判定カウンタのカウント値が閾値Ｔｈ１を超えると、明度成分寄与度（α）の値を最小値（＝０）で保つ。
【００５２】
すなわち、比率制御部２３０は、判定カウンタのカウント値が閾値Ｔｈ１となるまで、色座標調整寄与度（β）の値を増大させる。一方で、比率制御部２３０は、判定カウンタのカウント値が閾値Ｔｈ１を超えると、色座標調整寄与度（β）の値を最大値（＝１）で保つ。
【００５３】
このように、比率制御部２３０は、特定の色相（例えば、赤の色相）において映像入力信号の彩度が高いケース、すなわち、画像の色座標と実物の色座標との違いが大きいケースにおいて、色座標調整寄与度（β）を上昇させるとともに、明度成分寄与度（α）を低下させる。
【００５４】
表示素子制御部２４０は、色座標調整部２１０によって調整された色座標（色座標調整信号）と明度調整部２２０によって調整された明度成分（明度調整信号）とによって、映像出力信号を取得する。表示素子制御部２４０は、明度成分寄与度（α）及び色座標調整寄与度（β）に応じて、色座標調整信号及び明度調整信号の比率を制御する。
【００５５】
例えば、表示素子制御部２４０は、以下の式（３）に従って、映像出力信号を取得する。
【数３】
0005199864.tif 000004
【００５６】
（投写型映像表示装置の動作）
以下において、第１実施形態に係る投写型映像表示装置の動作について、図面を参照しながら説明する。図６は、第１実施形態に係る投写型映像表示装置１００（信号処理装置２００）の機能を示すフロー図である。
【００５７】
図６に示すように、ステップ１０において、信号処理装置２００は、画像（フレーム）を構成する複数の画素のうち、いずれかの画素を制御対象画素としてセットする。
【００５８】
ステップ１１において、信号処理装置２００は、制御対象画素の映像入力信号に応じて、制御対象画素の色相及び彩度を取得する。
【００５９】
ステップ１２において、信号処理装置２００は、ステップ１１で取得された色相が特定色相（ここでは、赤の色相）であるか否かを判定する。信号処理装置２００は、色相が特定色相である場合には、ステップ１３の処理に移る。一方で、信号処理装置２００は、色相が特定色相でない場合には、ステップ１５の処理に移る。
【００６０】
ステップ１３において、信号処理装置２００は、ステップ１１で取得された彩度が所定閾値を超えるか否かを判定する。信号処理装置２００は、彩度が所定閾値を超える場合には、ステップ１４の処理に移る。一方で、信号処理装置２００は、彩度が所定閾値を超えない場合には、ステップ１５の処理に移る。
【００６１】
ステップ１４において、信号処理装置２００は、判定カウンタのカウントアップを行う。具体的には、信号処理装置２００は、判定カウンタのカウント値に“１”を加算する。
【００６２】
ステップ１５において、信号処理装置２００は、画像（フレーム）を構成する全ての画素についてチェック済みであるか否かを判定する。信号処理装置２００は、全ての画素のついてチェック済みである場合には、ステップ１７の処理に移る。一方で、信号処理装置２００は、全ての画素のついてチェック済みでない場合には、ステップ１６の処理に移る。
【００６３】
ステップ１６において、信号処理装置２００は、制御対象画素を更新する。例えば、信号処理装置２００は、水平方向又は垂直方向に制御対象画素をシフトする。
【００６４】
ステップ１７において、信号処理装置２００は、明度成分寄与度（α）及び色座標調整寄与度（β）を決定する。具体的には、信号処理装置２００は、図５に示すように、判定カウンタのカウント値に応じて、明度成分寄与度（α）を決定する。
【００６５】
（作用及び効果）
第１実施形態では、比率制御部２３０は、特定の色相（例えば、赤の色相）において映像入力信号の彩度が所定閾値よりも高いケース、すなわち、画像の色座標と実物の色座標との違いが大きいケースにおいて、色座標調整寄与度を上昇させるとともに、明度成分寄与度を低下させる。
【００６６】
従って、画像の色座標と実物の色座標との違いが大きいケースでは、画像の色座標と実物の色座標との違いを抑制することができる。
【００６７】
一方で、比率制御部２３０は、特定の色相（例えば、赤の色相）において映像入力信号の彩度が所定閾値よりも低いケース、すなわち、画像の色座標と実物の色座標との違いが小さいケースにおいて、色座標調整寄与度を低下させるとともに、明度成分寄与度を上昇させる。
【００６８】
従って、画像の色座標と実物の色座標との違いが小さいケースでは、液晶パネル３０の色再現範囲を有効に利用することができる。
【００６９】
［第２実施形態］
以下において、第２実施形態について、図面を参照しながら説明する。以下においては、上述した第１実施形態と第２実施形態との相違点について主として説明する。
【００７０】
具体的には、上述した第１実施形態では、明度調整処理で用いるパラメータＬｕｍは定数である。これに対して、第２実施形態では、明度調整処理で用いるパラメータＬｕｍは、画像（フレーム）を構成する複数の画素の平均輝度に応じて定められる。
【００７１】
（パラメータＬｕｍ）
以下において、第２実施形態に係るパラメータＬｕｍについて、図面を参照しながら説明する。図７は、第２実施形態に係るパラメータＬｕｍを示す図である。
【００７２】
図７に示すように、上述した明度調整部２２０は、画像（フレーム）を構成する複数の画素の平均輝度に応じて、パラメータＬｕｍを決定する。具体的には、明度調整部２２０は、平均輝度が高いほど、パラメータＬｕｍを小さな値に決定する。
【００７３】
なお、パラメータＬｕｍは、第１実施形態と同様に、最小値〜１の範囲の値である。最小値は、０〜１の範囲の値である。
【００７４】
（作用及び効果）
第２実施形態では、明度調整部２２０は、平均輝度が高いほど、パラメータＬｕｍを小さな値に決定する。すなわち、ぎらつきが生じやすい高輝度画像では、映像入力信号の輝度成分の減少率を大きくする。一方で、ぎらつきが生じにくい低輝度画像では、映像入力信号の輝度成分の減少率を小さくする。従って、輝度の向上を或る程度図りながら、ぎらつきを抑制することができる。
【００７５】
［第３実施形態］
以下において、第３実施形態について、図面を参照しながら説明する。以下においては、上述した第１実施形態と第３実施形態との相違点について主として説明する。
【００７６】
具体的には、上述した第１実施形態では、明度成分寄与度（α）は、特定の色相（ここでは、赤の色相）において彩度が所定閾値を超える画素数に応じて定められる。これに対して、第３実施形態では、明度成分寄与度（α）は、輝度利得（ＧＡＩＮＬ）、色相利得（ＧＡＩＮＨ（ｍ、ｎ））及び彩度利得（ＧＡＩＮＳ（ｍ、ｎ））に応じて定められる。
【００７７】
（投写型映像表示装置の機能）
以下において、第３実施形態に係る投写型映像表示装置の機能について、図面を参照しながら説明する。図８は、第３実施形態に係る投写型映像表示装置１００（信号処理装置２００）の機能を示すブロック図である。なお、図８では、図４と同様の構成について同様の符号を付している。
【００７８】
図８に示すように、信号処理装置２００は、図４に示した構成に加えて、取得部２５０を有する。
【００７９】
取得部２５０は、映像入力信号に応じて、各種情報を取得する。具体的には、取得部２５０は、（１）画像（フレーム）を構成する複数の画素の平均輝度、（２）画像（フレーム）を構成する画素（ｍ、ｎ）の色相、（３）画像（フレーム）を構成する画素（ｍ、ｎ）の彩度を取得する。
【００８０】
ここで、上述した比率制御部２３０は、平均輝度、色相及び彩度に応じて、画素（ｍ、ｎ）に対応する明度成分寄与度（α）（ｍ、ｎ）を取得する。なお、比率制御部２３０は、明度成分寄与度（α）（ｍ、ｎ）に応じて、色座標調整寄与度（β）（ｍ、ｎ）を取得する。  具体的には、比率制御部２３０は、図９に示すように、平均輝度に応じて、輝度利得（ＧＡＩＮＬ）を取得する。輝度利得（ＧＡＩＮＬ）は、平均輝度が高いほど低い値となる。なお、輝度利得（ＧＡＩＮＬ）は、最小値〜１の範囲の値である。最小値は、０〜１の範囲の値である。
【００８１】
比率制御部２３０は、図１０に示すように、画素（ｍ、ｎ）の色相に応じて、色相利得（ＧＡＩＮＨ（ｍ、ｎ））を取得する。色相利得（ＧＡＩＮＨ（ｍ、ｎ））は、色相が赤の色相に近いほど低い値となる。なお、色相利得（ＧＡＩＮＨ（ｍ、ｎ））は、０〜１の範囲の値である。
【００８２】
比率制御部２３０は、図１１に示すように、画素（ｍ、ｎ）の彩度に応じて、彩度利得（ＧＡＩＮＳ（ｍ、ｎ））を取得する。彩度利得（ＧＡＩＮＳ（ｍ、ｎ））は、彩度が閾値Ｔｈ２となるまで、彩度が高いほど低い値となる。一方で、彩度利得（ＧＡＩＮＳ（ｍ、ｎ））は、彩度が閾値Ｔｈ２を超えると、最小値（＝０）で保たれる。なお、彩度利得（ＧＡＩＮＳ（ｍ、ｎ））は、０〜１の範囲の値である。
【００８３】
続いて、比率制御部２３０は、輝度利得（ＧＡＩＮＬ）、色相利得（ＧＡＩＮＨ（ｍ、ｎ））及び彩度利得（ＧＡＩＮＳ（ｍ、ｎ））に応じて、画素（ｍ、ｎ）に対応する明度成分寄与度（α）（ｍ、ｎ）を取得する。例えば、比率制御部２３０は、以下の式（４）に従って、画素（ｍ，ｎ）に対応する明度成分寄与度（α）（ｍ、ｎ）を取得する。
【数４】
0005199864.tif 000005
【００８４】
表示素子制御部２４０は、比率制御部２３０から取得した明度成分寄与度（α）（ｍ、ｎ）に応じて、画素（ｍ，ｎ）について色座標調整信号及び明度調整信号の比率を制御する。すなわち、表示素子制御部２４０は、色座標調整信号及び明度調整信号の比率を画素毎に制御する。
【００８５】
（投写型映像表示装置の動作）
以下において、第３実施形態に係る投写型映像表示装置の動作について、図面を参照しながら説明する。図１２は、第３実施形態に係る投写型映像表示装置１００（信号処理装置２００）の動作を示すフロー図である。
【００８６】
図１２に示すように、ステップ２０において、信号処理装置２００は、映像入力信号に応じて、画像（フレーム）を構成する複数の画素の平均輝度を取得する。
【００８７】
ステップ２１において、信号処理装置２００は、ステップ２０で取得された平均輝度に応じて、輝度利得（ＧＡＩＮＬ）を取得する。
【００８８】
ステップ２２において、信号処理装置２００は、映像入力信号に応じて、画像（フレーム）を構成する画素（ｍ、ｎ）の色相を取得する。
【００８９】
ステップ２３において、信号処理装置２００は、ステップ２２で取得された色相に応じて、色相利得（ＧＡＩＮＨ（ｍ、ｎ））を取得する。
【００９０】
ステップ２４において、信号処理装置２００は、映像入力信号に応じて、画像（フレーム）を構成する画素（ｍ、ｎ）の彩度を取得する。
【００９１】
ステップ２５において、信号処理装置２００は、ステップ２４で取得された彩度に応じて、彩度利得（ＧＡＩＮＳ（ｍ、ｎ））を取得する。
【００９２】
ステップ２６において、信号処理装置２００は、明度成分寄与度（α）及び色座標調整寄与度（β）を決定する。具体的には、信号処理装置２００は、ステップ２１、ステップ２３及びステップ２５で取得された各利得に応じて、画素（ｍ，ｎ）に対応する明度成分寄与度（α）（ｍ、ｎ）を決定する。
【００９３】
なお、信号処理装置２００は、画像（フレーム）を構成する全ての画素のついて、ステップ２２〜ステップ２６の処理を行うことに留意すべきである。
【００９４】
（作用及び効果）
第３実施形態では、比率制御部２３０は、平均輝度、色相及び彩度に応じて、画像（フレーム）を構成する画素毎に明度成分寄与度（α）（ｍ、ｎ）を取得する。表示素子制御部２４０は、色座標調整信号及び明度調整信号の比率を画素毎に制御する。
【００９５】
従って、画像の色座標と実物の色座標との違いを画素毎に適切に抑制しながら、液晶パネル３０の色再現範囲を有効に利用することができる。
【００９６】
［第４実施形態］
以下において、第４実施形態について、図面を参照しながら説明する。以下においては、上述した第１実施形態と第４実施形態との相違点について主として説明する。
【００９７】
具体的には、上述した第１実施形態では、明度成分寄与度（α）は、特定の色相（ここでは、赤の色相）において彩度が所定閾値を超える画素数に応じて定められる。これに対して、第４実施形態では、明度成分寄与度（α）は、特定の色相（ここでは、赤の色相）を有する画素の値の分布（色相平均値及び色相分散値）に応じて定められる。
【００９８】
（投写型映像表示装置の機能）
以下において、第４実施形態に係る投写型映像表示装置の機能について、図面を参照しながら説明する。図１３は、第４実施形態に係る投写型映像表示装置１００（信号処理装置２００）の機能を示すブロック図である。なお、図１３では、図４と同様の構成について同様の符号を付している。
【００９９】
図１３に示すように、信号処理装置２００は、図４に示した構成に加えて、色相ヒストグラム取得部２６０を有する。
【０１００】
色相ヒストグラム取得部２６０は、特定の色相（ここでは、赤の色相）を有する画素の色相のヒストグラムを取得する。続いて、色相ヒストグラム取得部２６０は、特定の色相（ここでは、赤の色相）を有する画素について、色相平均値及び色相分散値を算出する。
【０１０１】
例えば、色相ヒストグラム取得部２６０は、図１４又は図１５に示すヒストグラムを取得する。図１４に示すヒストグラムでは、特定の色相（ここでは、赤の色相）において、各画素の色相が中心色相に偏っている。すなわち、色相平均値が中心色相に近く、色相分散値が小さい。一方で、図１５に示すヒストグラムでは、特定の色相（ここでは、赤の色相）において、各画素の色相がばらついている。すなわち、色相平均値が中心色相に近く、色相分散値が大きい。
【０１０２】
上述した比率制御部２３０は、特定の色相（ここでは、赤の色相）を有する画素の値の分布（色相平均値及び色相分散値）に基づいて、明度成分寄与度（α）を決定する。すなわち、比率制御部２３０は、明度成分寄与度（α）及び色座標調整寄与度（β）を決定する。
【０１０３】
具体的には、比率制御部２３０は、図１６に示すように、色相平均値に基づいて、パラメータｍａｘ１を決定する。続いて、比率制御部２３０は、図１７に示すように、色相分散値に基づいて、明度成分寄与度（α）を決定する。なお、明度成分寄与度（α）の上限は、パラメータｍａｘ１によって制限される。
【０１０４】
ここで、図１６に示すように、色相平均値が中心色相に近いほど、パラメータｍａｘ１の値が小さい。また、図１７に示すように、色相分散値が小さいほど、明度成分寄与度（α）の値が小さい。
【０１０５】
すなわち、色相平均値が中心色相に近いほど、又は、色相分散値が小さいほど、明度成分寄与度（α）の値が小さい。従って、色相平均値が中心色相に近いほど、又は、色相分散値が小さいほど、色座標調整寄与度（β）の値が大きい。
【０１０６】
一方で、図１６に示すように、色相平均値が中心色相から離れているほど、パラメータｍａｘ１の値が大きい。また、図１７に示すように、色相分散値が大きいほど、明度成分寄与度（α）の値が大きい。
【０１０７】
すなわち、色相平均値が中心色相から離れているほど、又は、色相分散値が大きいほど、明度成分寄与度（α）の値が大きい。従って、色相平均値が中心色相から離れているほど、又は、色相分散値が大きいほど、色座標調整寄与度（β）の値が小さい。
【０１０８】
（作用及び効果）
第４実施形態では、色相平均値が中心色相から離れているほど、又は、色相分散値が大きいほど、色座標調整寄与度（β）の値が小さい。従って、ぎらつき等が生じにくい画像において、液晶パネル３０の色再現範囲を有効に利用することができる。
【０１０９】
［第５実施形態］
以下において、第５実施形態について、図面を参照しながら説明する。以下においては、上述した第１実施形態と第５実施形態との相違点について主として説明する。
【０１１０】
具体的には、上述した第１実施形態では、明度成分寄与度（α）は、特定の色相（ここでは、赤の色相）において彩度が所定閾値を超える画素数に応じて定められる。これに対して、第５実施形態では、明度成分寄与度（α）は、特定の色相（ここでは、赤の色相）を有する画素の値の分布（彩度平均値及び彩度分散値）に応じて定められる。
【０１１１】
（投写型映像表示装置の機能）
以下において、第５実施形態に係る投写型映像表示装置の機能について、図面を参照しながら説明する。図１８は、第５実施形態に係る投写型映像表示装置１００（信号処理装置２００）の機能を示すブロック図である。なお、図１８では、図４と同様の構成について同様の符号を付している。
【０１１２】
図１８に示すように、信号処理装置２００は、図４に示した構成に加えて、彩度ヒストグラム取得部２７０を有する。
【０１１３】
彩度ヒストグラム取得部２７０は、特定の色相（ここでは、赤の色相）を有する画素の彩度のヒストグラムを取得する。続いて、彩度ヒストグラム取得部２７０は、特定の色相（ここでは、赤の色相）を有する画素について、彩度平均値及び彩度分散値を算出する。
【０１１４】
例えば、色相ヒストグラム取得部２６０は、図１９又は図２０に示すヒストグラムを取得する。図１９に示すヒストグラムでは、特定の色相（ここでは、赤の色相）において、各画素の彩度が高彩度側に偏っている。すなわち、彩度平均値が高く、彩度分散値が小さい。一方で、図２０に示すヒストグラムでは、特定の色相（ここでは、赤の色相）において、各画素の彩度がばらついている。すなわち、彩度平均値が低く、彩度分散値が大きい。
【０１１５】
上述した比率制御部２３０は、特定の色相（ここでは、赤の色相）を有する画素の値の分布（彩度平均値及び彩度分散値）に基づいて、明度成分寄与度（α）を決定する。すなわち、比率制御部２３０は、明度成分寄与度（α）及び色座標調整寄与度（β）を決定する。
【０１１６】
具体的には、比率制御部２３０は、図２１に示すように、彩度平均値に基づいて、パラメータｍａｘ１を決定する。続いて、比率制御部２３０は、図２２に示すように、彩度分散値に基づいて、明度成分寄与度（α）を決定する。なお、明度成分寄与度（α）の上限は、パラメータｍａｘ１によって制限される。
【０１１７】
ここで、図２１に示すように、彩度平均値が高いほど、パラメータｍａｘ１の値が小さい。また、図２２に示すように、彩度分散値が小さいほど、明度成分寄与度（α）の値が小さい。
【０１１８】
すなわち、彩度平均値が高いほど、又は、彩度分散値が小さいほど、明度成分寄与度（α）の値が小さい。従って、彩度平均値が高いほど、又は、彩度分散値が小さいほど、色座標調整寄与度（β）の値が大きい。
【０１１９】
ここで、図２１に示すように、彩度平均値が低いほど、パラメータｍａｘ１の値が大きい。また、図２２に示すように、彩度分散値が大きいほど、明度成分寄与度（α）の値が大きい。
【０１２０】
すなわち、彩度平均値が低いほど、又は、彩度分散値が大きいほど、明度成分寄与度（α）の値が大きい。従って、彩度平均値が低いほど、又は、彩度分散値が大きいほど、色座標調整寄与度（β）の値が小さい。
【０１２１】
（作用及び効果）
第５実施形態では、彩度平均値が低いほど、又は、彩度分散値が大きいほど、色座標調整寄与度（β）の値が小さい。従って、ぎらつき等が生じにくい画像において、液晶パネル３０の色再現範囲を有効に利用することができる。
【０１２２】
［第６実施形態］
以下において、第６実施形態について、図面を参照しながら説明する。以下においては、上述した第１実施形態と第６実施形態との相違点について主として説明する。
【０１２３】
具体的には、上述した第１実施形態では、明度成分寄与度（α）は、特定の色相（ここでは、赤の色相）において彩度が所定閾値を超える画素数に応じて定められる。これに対して、第６実施形態では、明度成分寄与度（α）は、特定の色相（ここでは、赤の色相）を有する画素の高周波成分（色相の高周波成分）に応じて定められる。
【０１２４】
（投写型映像表示装置の機能）
以下において、第６実施形態に係る投写型映像表示装置の機能について、図面を参照しながら説明する。図２３は、第６実施形態に係る投写型映像表示装置１００（信号処理装置２００）の機能を示すブロック図である。なお、図２３では、図４と同様の構成について同様の符号を付している。
【０１２５】
図２３に示すように、信号処理装置２００は、図４に示した構成に加えて、色相高周波成分取得部２８０を有する。
【０１２６】
色相高周波成分取得部２８０は、特定の色相（ここでは、赤の色相）を有する画素について、色相の高周波成分（以下、色相高周波成分）を取得する。具体的には、第１に、色相高周波成分取得部２８０は、特定の色相（ここでは、赤の色相）において、所定閾値（例えば、最大彩度の１／２）以上の彩度を有する画素を制御対象画素として特定する。第２に、色相高周波成分取得部２８０は、制御対象画素について、高周波成分を算出する。第３に、色相高周波成分取得部２８０は、全ての制御対象画素の色相高周波成分の合計値を算出する。
【０１２７】
例えば、色相高周波成分取得部２８０は、図２４に示すフィルタを用いて、制御対象画素（ｍ，ｎ）の色相高周波成分ＦＨ（ｍ，ｎ）を算出する。図２４に示される値は、画素（ｍ−１，ｎ−１）〜画素（ｍ＋１，ｎ＋１）の色相値に乗算される係数である。すなわち、色相高周波成分取得部２８０は、以下の式に従って、制御対象画素（ｍ，ｎ）の色相高周波成分ＦＨ（ｍ，ｎ）を算出する。
【数５】
0005199864.tif 000006
【０１２８】
上述した比率制御部２３０は、色相高周波成分取得部２８０によって算出された色相高周波成分の合計値に基づいて、明度成分寄与度（α）を決定する。すなわち、比率制御部２３０は、明度成分寄与度（α）及び色座標調整寄与度（β）を決定する。具体的には、比率制御部２３０は、図２５に示すように、色相高周波成分の合計値に基づいて、明度成分寄与度（α）を決定する。
【０１２９】
ここで、図２５に示すように、色相高周波成分の合計値が大きいほど、明度成分寄与度（α）の値が大きい。従って、色相高周波成分の合計値が大きいほど、色座標調整寄与度（β）の値が小さい。
【０１３０】
一方で、図２５に示すように、色相高周波成分の合計値が小さいほど、明度成分寄与度（α）の値が小さい。従って、色相高周波成分の合計値が小さいほど、色座標調整寄与度（β）の値が大きい。
【０１３１】
（作用及び効果）
第６実施形態では、特定の色相を有する画素の色相高周波成分の合計値が大きいほど、色座標調整寄与度（β）の値が小さい。従って、特定の色相における色相の階調のつぶれを抑制することができる。
【０１３２】
［第７実施形態］
以下において、第７実施形態について、図面を参照しながら説明する。以下においては、上述した第１実施形態と第７実施形態との相違点について主として説明する。
【０１３３】
具体的には、上述した第１実施形態では、明度成分寄与度（α）は、特定の色相（ここでは、赤の色相）において彩度が所定閾値を超える画素数に応じて定められる。これに対して、第７実施形態では、明度成分寄与度（α）は、特定の色相（ここでは、赤の色相）を有する画素の高周波成分（輝度の高周波成分）に応じて定められる。
【０１３４】
（投写型映像表示装置の機能）
以下において、第７実施形態に係る投写型映像表示装置の機能について、図面を参照しながら説明する。図２６は、第７実施形態に係る投写型映像表示装置１００（信号処理装置２００）の機能を示すブロック図である。なお、図２６では、図４と同様の構成について同様の符号を付している。
【０１３５】
図２６に示すように、信号処理装置２００は、図４に示した構成に加えて、輝度高周波成分取得部２９０を有する。
【０１３６】
輝度高周波成分取得部２９０は、特定の色相（ここでは、赤の色相）を有する画素について、輝度の高周波成分（以下、輝度高周波成分）を取得する。具体的には、第１に、輝度高周波成分取得部２９０は、特定の色相（ここでは、赤の色相）において、所定閾値（例えば、最大彩度の１／２）以上の彩度を有する画素を制御対象画素として特定する。第２に、輝度高周波成分取得部２９０は、制御対象画素について、輝度高周波成分を算出する。第３に、輝度高周波成分取得部２９０は、全ての制御対象画素の輝度高周波成分の合計値を算出する。
【０１３７】
例えば、輝度高周波成分取得部２９０は、図２７に示すフィルタを用いて、制御対象画素（ｍ，ｎ）の輝度高周波成分ＦＬ（ｍ，ｎ）を算出する。図２７に示される値は、画素（ｍ−１，ｎ−１）〜画素（ｍ＋１，ｎ＋１）の輝度値に乗算される係数である。すなわち、輝度高周波成分取得部２９０は、以下の式に従って、制御対象画素（ｍ，ｎ）の輝度高周波成分ＦＬ（ｍ，ｎ）を算出する。
【数６】
0005199864.tif 000007
【０１３８】
上述した比率制御部２３０は、輝度高周波成分取得部２９０によって算出された輝度高周波成分の合計値に基づいて、明度成分寄与度（α）を決定する。すなわち、比率制御部２３０は、明度成分寄与度（α）及び色座標調整寄与度（β）を決定する。具体的には、比率制御部２３０は、図２８に示すように、輝度高周波成分の合計値に基づいて、明度成分寄与度（α）を決定する。
【０１３９】
ここで、図２８に示すように、輝度高周波成分の合計値が大きいほど、明度成分寄与度（α）の値が小さい。従って、輝度高周波成分の合計値が大きいほど、色座標調整寄与度（β）の値が大きい。
【０１４０】
一方で、図２８に示すように、輝度高周波成分の合計値が小さいほど、明度成分寄与度（α）の値が大きい。従って、輝度高周波成分の合計値が小さいほど、色座標調整寄与度（β）の値が小さい。
【０１４１】
（作用及び効果）
第７実施形態では、特定の色相を有する画素の輝度高周波成分の合計値が大きいほど、明度成分寄与度（α）の値が小さい。従って、特定の色相における輝度の階調のつぶれを抑制することができる。
【０１４２】
［第８実施形態］
以下において、第８実施形態について、図面を参照しながら説明する。以下においては、上述した第１実施形態と第８実施形態との相違点について主として説明する。
【０１４３】
具体的には、上述した第１実施形態では、明度成分寄与度（α）は、特定の色相（ここでは、赤の色相）において彩度が所定閾値を超える画素数に応じて定められる。これに対して、第８実施形態では、明度成分寄与度（α）は、画像（フレーム）を構成する複数の画素毎に制御される。
【０１４４】
（投写型映像表示装置の機能）
以下において、第８実施形態に係る投写型映像表示装置の機能について、図面を参照しながら説明する。図２９は、第８実施形態に係る投写型映像表示装置１００（信号処理装置２００）の機能を示すブロック図である。なお、図２９では、図４と同様の構成について同様の符号を付している。
【０１４５】
図２９に示すように、信号処理装置２００は、図４に示した構成に加えて、補正係数取得部２９５を有する。
【０１４６】
補正係数取得部２９５は、彩度、輝度及び色相を画素毎に取得する。続いて、補正係数取得部２９５は、彩度補正係数Ｓ、輝度補正係数Ｌ及び色相補正係数Ｈを画素毎に取得する。なお、補正係数取得部２９５は、全画素について、彩度補正係数Ｓ、輝度補正係数Ｌ及び色相補正係数Ｈを取得する。
【０１４７】
第１に、補正係数取得部２９５は、図３０に示すように、画素（ｍ，ｎ）の彩度に基づいて、画素（ｍ，ｎ）の彩度補正係数Ｓ（ｍ，ｎ）を特定する。図３０に示すように、画素（ｍ，ｎ）の彩度が高いほど、彩度補正係数Ｓ（ｍ，ｎ）が小さい。
【０１４８】
第２に、補正係数取得部２９５は、図３１に示すように、画素（ｍ，ｎ）の輝度に基づいて、画素（ｍ，ｎ）の輝度補正係数Ｌ（ｍ，ｎ）を特定する。図３１に示すように、画素（ｍ，ｎ）の輝度が高いほど、輝度補正係数Ｌ（ｍ，ｎ）が小さい。
【０１４９】
第３に、補正係数取得部２９５は、図３２に示すように、画素（ｍ，ｎ）の色相に基づいて、画素（ｍ，ｎ）の色相補正係数Ｈ（ｍ，ｎ）を特定する。図３２に示すように、画素（ｍ，ｎ）の色相が中心色相に近いほど、色相補正係数Ｈ（ｍ，ｎ）が小さい。なお、中心色相は、特定の色相（ここでは、赤の色相）における中心を示す色相である。
【０１５０】
上述した比率制御部２３０は、彩度補正係数Ｓ（ｍ，ｎ）、輝度補正係数Ｌ（ｍ，ｎ）及び色相補正係数Ｈ（ｍ，ｎ）に基づいて、明度成分寄与度（α）を画素毎に補正する。すなわち、比率制御部２３０は、明度成分寄与度（α（ｍ、ｎ））を画素毎に補正する。例えば、比率制御部２３０は、以下の式に従って、明度成分寄与度（α（ｍ、ｎ））を補正する。
【数７】
0005199864.tif 000008
【０１５１】
このように、比率制御部２３０は、明度成分寄与度（α（ｍ，ｎ））を画素毎に決定する。すなわち、比率制御部２３０は、色座標調整寄与度（β（ｍ，ｎ））を画素毎に決定する。
【０１５２】
ここで、図３０〜図３２に示すように、彩度が高いほど、輝度が高いほど、色相が中心色相に近いほど、彩度補正係数Ｓ、輝度補正係数Ｌ及び色相補正係数Ｈの値が小さい。すなわち、彩度が高いほど、輝度が高いほど、色相が中心色相に近いほど、明度成分寄与度（α（ｍ，ｎ））の値が小さい。従って、彩度が高いほど、輝度が高いほど、色相が中心色相に近いほど、色座標調整寄与度（β（ｍ，ｎ））の値が大きい。
【０１５３】
一方で、図３０〜図３２に示すように、彩度が低いほど、輝度が低いほど、色相が中心色相から離れているほど、彩度補正係数Ｓ、輝度補正係数Ｌ及び色相補正係数Ｈの値が大きい。すなわち、彩度が低いほど、輝度が低いほど、色相が中心色相から離れているほど、明度成分寄与度（α（ｍ，ｎ））の値が大きい。従って、彩度が低いほど、輝度が低いほど、色相が中心色相から離れているほど、色座標調整寄与度（β（ｍ，ｎ））の値が小さい。
【０１５４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１５５】
上述した実施形態では、パラメータＬｕｍの取得において、輝度平均値が用いられるが、これに限定されるものではない。パラメータＬｕｍの取得において、画像（フレーム）を構成する各画素の輝度の合計値が用いられてもよい。
【０１５６】
上述した実施形態では、パラメータα（ｍ，ｎ）の取得において、輝度平均値が用いられるが、これに限定されるものではない。パラメータα（ｍ，ｎ）の取得において、画像（フレーム）を構成する各画素の輝度の合計値が用いられてもよい。
【０１５７】
上述した実施形態では、パラメータα（ｍ，ｎ）は、輝度利得（ＧＡＩＮＬ）、色相利得（ＧＡＩＮＨ（ｍ、ｎ））及び彩度利得（ＧＡＩＮＳ（ｍ、ｎ））によって定められるが、これに限定されるものではない。パラメータα（ｍ，ｎ）は、輝度利得（ＧＡＩＮＬ）、色相利得（ＧＡＩＮＨ（ｍ、ｎ））及び彩度利得（ＧＡＩＮＳ（ｍ、ｎ））のいずれかによって定められればよい。例えば、パラメータα（ｍ，ｎ）は、輝度利得（ＧＡＩＮＬ）のみによって定められてもよい。パラメータα（ｍ，ｎ）は、色相利得（ＧＡＩＮＨ（ｍ、ｎ））のみによって定められてもよい。パラメータα（ｍ，ｎ）は、彩度利得（ＧＡＩＮＳ（ｍ、ｎ））のみによって定められてもよい。
【０１５８】
上述した実施形態では、表示装置として液晶パネル３０が用いられるが、これに限定されるものではない。表示装置としては、ＬＣＯＳ（Ｌｉｑｕｉｄ  Ｃｒｙｓｔａｌ  ｏｎ  Ｓｉｌｉｃｏｎ）やＤＭＤ（Ｄｅｇｉｔａｌ  Ｍｉｃｒｏｍｉｒｒｏｒ  Ｄｅｖｉｃｅ）などが用いられてもよい。
【０１５９】
上述した実施形態では、光源として固体光源を用いるが、これに限定されるものではない。光源としては、白色光を発するＵＨＰランプが用いられてもよい。
【図面の簡単な説明】
【０１６０】
【図１】第１実施形態に係る投写型映像表示装置の構成を示す図である。
【図２】色相及び彩度を示す一般的な色再現範囲を示す図である。
【図３】第１実施形態に係る液晶パネル３０の色再現範囲を示す図である。
【図４】第１実施形態に係る信号処理装置２００の構成を示すブロック図である。
【図５】第１実施形態に係るパラメータαを示す図である。
【図６】第１実施形態に係る信号処理装置２００の動作を示すフロー図である。
【図７】第２実施形態に係るパラメータＬｕｍを示す図である。
【図８】第３実施形態に係る信号処理装置２００の構成を示すブロック図である。
【図９】第３実施形態に係る輝度利得を示す図である。
【図１０】第３実施形態に係る色相利得を示す図である。
【図１１】第３実施形態に係る彩度利得を示す図である。
【図１２】第３実施形態に係る信号処理装置２００の動作を示すフロー図である。
【図１３】第４実施形態に係る信号処理装置２００の構成を示すブロック図である。
【図１４】第４実施形態に係るヒストグラムを示す図である。
【図１５】第４実施形態に係るヒストグラムを示す図である。
【図１６】第４実施形態に係るパラメータαの決定方法を示す図である。
【図１７】第４実施形態に係るパラメータαの決定方法を示す図である。
【図１８】第５実施形態に係る信号処理装置２００の構成を示すブロック図である。
【図１９】第５実施形態に係るヒストグラムを示す図である。
【図２０】第５実施形態に係るヒストグラムを示す図である。
【図２１】第５実施形態に係るパラメータαの決定方法を示す図である。
【図２２】第５実施形態に係るパラメータαの決定方法を示す図である。
【図２３】第６実施形態に係る信号処理装置２００の構成を示すブロック図である。
【図２４】第６実施形態に係るフィルタを示す図である。
【図２５】第６実施形態に係るパラメータαの決定方法を示す図である。
【図２６】第７実施形態に係る信号処理装置２００の構成を示すブロック図である。
【図２７】第７実施形態に係るフィルタを示す図である。
【図２８】第７実施形態に係るパラメータαの決定方法を示す図である。
【図２９】第８実施形態に係る信号処理装置２００の構成を示すブロック図である。
【図３０】第８実施形態に係るパラメータＳを示す図である。
【図３１】第８実施形態に係るパラメータＬを示す図である。
【図３２】第８実施形態に係るパラメータＨを示す図である。
【符号の説明】
【０１６１】
１０・・・光源ユニット、２０・・・フライアイレンズユニット、３０・・・液晶パネル、４０・・・クロスダイクロイックプリズム、５０・・・投写レンズユニット、１００・・・投写型映像表示装置、２００・・・信号処理装置、２１０・・・色座標調整部、２２０・・・明度調整部、２３０・・・比率制御部、２４０・・・表示素子制御部、２５０・・・取得部、２６０・・・色相ヒストグラム取得部、２７０・・・彩度ヒストグラム取得部、２８０・・・色相高周波成分取得部、２９０・・・輝度高周波成分取得部、２９５・・・補正係数取得部
【図１】
0005199864.tif 000009
【図２】
0005199864.tif 000010
【図３】
0005199864.tif 000011
【図４】
0005199864.tif 000012
【図５】
0005199864.tif 000013
【図６】
0005199864.tif 000014
【図７】
0005199864.tif 000015
【図８】
0005199864.tif 000016
【図９】
0005199864.tif 000017
【図１０】
0005199864.tif 000018
【図１１】
0005199864.tif 000019
【図１２】
0005199864.tif 000020
【図１３】
0005199864.tif 000021
【図１４】
0005199864.tif 000022
【図１５】
0005199864.tif 000023
【図１６】
0005199864.tif 000024
【図１７】
0005199864.tif 000025
【図１８】
0005199864.tif 000026
【図１９】
0005199864.tif 000027
【図２０】
0005199864.tif 000028
【図２１】
0005199864.tif 000029
【図２２】
0005199864.tif 000030
【図２３】
0005199864.tif 000031
【図２４】
0005199864.tif 000032
【図２５】
0005199864.tif 000033
【図２６】
0005199864.tif 000034
【図２７】
0005199864.tif 000035
【図２８】
0005199864.tif 000036
【図２９】
0005199864.tif 000037
【図３０】
0005199864.tif 000038
【図３１】
0005199864.tif 000039
【図３２】
0005199864.tif 000040